(57)【要約】【課題】  、ユニットケースと本体との間の結線部材を短いものとする共に、ユニットケースの移動に際して結線部材が邪魔にならず、且つ、結線部材を傷つけるおそれのない電装部の取り付け構造、電子装置及び画像形成装置を提供すること【解決手段】画像形成装置１００の本体に電装部２００を支点２３１，２３２で扉状に開閉可能に構成し、画像形成装置１００の本体と電装部２００と電気的に結ぶコントロールハーネス２４４を配置するに際し、画像形成装置１００本体と電装部２００との間で損傷を与えずに変形させ移動させる案内保持部３００及びハーネスクランプ３２１を備えるものとした。【選択図】  図３
2006309058.tif 000002
【特許請求の範囲】
【請求項１】
電子機器本体と、前記電子機器本体を動作させるための部品を収納する電装部と、前記電子機器本体と前記電装部とを電気的に接続する結線部材と、前記電子機器本体に設けられ前記電装部の一端と前記電子機器本体との位置関係が変更できるように前記電装部を保持する保持部と、前記電装部の位置の変更に伴い前記結線部材を前記電子機器本体と電装部との間で弾性的に変形させ、あるいは移動させるよう案内する結線案内部とを備えることを特徴とする電装部の取付構造。
【請求項２】
前記電装部の外壁と保持部を形成する起立面との間に空間が形成され、前記結線案内部は、前記空間に形成されることを特徴とする請求項１に記載の電装部の取付構造。
【請求項３】
前記結線案内部は、前記電装部の下部外壁面より下方であって、且つ前記起立面から離間する方向に形成されることを特徴とする請求項１または２の電装部の取付構造。
【請求項４】
前記結線案内部は、起立面に設けられた結束部を有することを特徴とする請求項２または３の電装部の取付構造。
【請求項５】
前記結線案内部は、前記電子機器本体側に設けられ、前記電装部の移動に伴い弾性力で結線部材の位置を移動可能に保持する弾性結束部を有することを特徴とする請求項１ないし４のいずれかの電装部の取付構造。
【請求項６】
前記起立面は、前記電装部の移動を案内する第一の案内面と、案内面に隣接して設けられ前記案内面から離れる方向へ案内する第２の案内面とで構成されることを特徴とする請求項１ないし５の電装部の取付構造。
【請求項７】
前記電装部の下部に前記結線部材の挿通孔を設け、結線部材を前記挿通孔を通して電装部下部から電子機器本体へと配置することを特徴とする請求項１から６の電装部の取付構造。
【請求項８】
前記結線案内部に案内される方向と前記電装部の挿通孔への案内方向とは交差するように配置されるよう案内するものとし、該結線案内部を前記電装部の下部外壁面に設けることを特徴とする請求項１ないし７の電装部の取付構造。
【請求項９】
前記電装部の上部外壁面に、前記電子機器本体と電気的に接続する結線部材の接続部を設けたことを特徴とする請求項１ないし８の電装部の取付構造。
【請求項１０】
前記電装部は、前記上部外壁と、前記下部外壁と、前記上部外壁と下部外壁とをつなぐ壁面とで構成され、前記壁面の保持部側には、保持部から離間する側よりくぼんだ切欠部を形成したことを特徴とする請求項１ないし９の電装部の取付構造。
【請求項１１】
前記保持部は前記電子機器本体と電装部とを開閉可能に保持するヒンジ部材を備えることを特徴とする請求項１ないし１０のいずれかの電装部の取付構造。
【請求項１２】
前記ヒンジ部材は垂直方向を回転支点として配置され、前記電装部の縦縁を中心として回動可能に配置することを特徴とする請求項１ないし１１のいずれかの電装部の取付構造。
【請求項１３】
請求項１ないし１２のいずれかの電装部の取付構造を備えたことを特徴とする電子装置。
【請求項１４】
請求項１ないし１２のいずれかの電装部の取付構造を備えたことを特徴とする画像形成装置。
【発明の詳細な説明】
【技術分野】
【０００１】
本発明は、電装部の取付構造、電子機器及び画像形成装置に係り、電装部を電子機器本体から特にＯＡ機器等の電子機器、複写機、ファックス、プリンタ等、の画像形成装置における電装部の取り付け構造に関する。
【背景技術】
【０００２】
近年、電子機器は高機能化が進み、これに伴い機器の実装密度も高まっている。例えば、画像形成装置においては、デジタル化・フルカラー化が進むにつれて駆動部やそれらを制御する構成部品が増えており、また、ユーザーの要望によりオプションを追加する場合は、その制御部品も追加する必要が生じる。
【０００３】
このような画像形成装置では、上記メンテナンスや上記オプション部品の取り付け作業性を向上させるため、特許文献１のように駆動部品を装置本体後方に設け、特許文献２のように制御部品をユニットケースに取り付けて装置本体後方部に対し回動可能に支点支持するよう構成するものや、ユニットケースを装置本体に対し、摺動可能に構成するものが採用されている。
【０００４】
なお、ユニットケース内部に取りけられる制御基板より電磁波が多く発生するため、ユニットケースを板金で囲い箱型構造としていることが多い。
【特許文献１】特開２００１−３３４７２５
【特許文献２】特開２００４−０８５８８９
【発明の開示】
【発明が解決しようとする課題】
【０００５】
また、一般的に、装置本体側の駆動部品とユニットケース側の制御部品とを制御線で結線しているが、制御線はノイズの影響を受けにくくするために、なるべく短くしなければならないし、さらに、短くしたときにユニットケースの開閉や移動の邪魔にならずメンテナンス性に影響を及ぼさない構成としなければならない。このとき、特許文献２の構成では、装置本体に対してユニットケースを引き出した状態においても制御線が外れない程度の制御線の長さが必要であるから、ノイズの影響を受ける可能性が大きくなるほか、ユニットケースを収納したときに、装置本体に制御線が挟まれ断線する可能性がある。
【０００６】
また、制御線長を最短とするため特許文献１のように、ユニットケースの回動支点付近に制御線を這わせることがなされている。しかし、制御線の接続部の外れを防止するために、通常、制御線は所定のあそびを設けて取り付けられているから、単に回動支点付近に這いまわしただけでは、たるんだ制御線がユニットケースに挟み込まれる可能性がある。
【０００７】
そこで、本発明は、これら課題を解決し、ユニットケースと本体との間の制御線等の結線部材の長さをできるだけ短いものとできると共に、ユニットケースの移動に際して結線部材が邪魔にならず、且つ、結線部材を傷つけるおそれのない電装部の取り付け構造、電子装置及び画像形成装置を提供することを目的とする。
【課題を解決するための手段】
【０００８】
請求項１の発明は、電子機器本体と、前記電子機器本体を動作させるための部品を収納する電装部と、前記電子機器本体と前記電装部とを電気的に接続する結線部材と、前記電子機器本体に設けられ前記電装部の一端と前記電子機器本体との位置関係が変更できるように前記電装部を保持する保持部と、前記電装部の位置の変更に伴い前記結線部材を前記電子機器本体と電装部との間で弾性的に変形させ、あるいは移動させるよう案内する結線案内部とを備える。
【０００９】
請求項２の発明は、請求項１の電装部の取付構造において前記電装部の外壁と保持部を形成する起立面との間に空間が形成され、前記結線案内部は、前記空間に形成されることを特徴とする。
【００１０】
請求項３の発明は、請求項１または２装部の取付構造において、記結線案内部は、前記電装部の下部外壁面より下方であって、且つ前記起立面から離間する方向に形成されることを特徴とする。
【００１１】
請求項４の発明は、請求項２または３の電装部の取付構造において前記結線案内部は、起立面に設けられた結束部を有することを特徴とする。
【００１２】
請求項５の発明は、請求項１ないし４いずれかの電装部の取付構造において、記結線案内部は、前記電子機器本体側に設けられ、前記電装部の移動に伴い弾性力で結線部材の位置を移動可能に保持する弾性結束部を有することを特徴とする。
【００１３】
請求項６の発明は、請求項１ないし５いずれかの電装部の取付構造において、記起立面は、前記電装部の移動を案内する第一の案内面と、案内面に隣接して設けられ前記案内面から離れる方向へ案内する第２の案内面とで構成されることを特徴とする。
【００１４】
請求項７の発明は、請求項１ないし６いずれかの電装部の取付構造において、記電装部の下部に前記結線部材の挿通孔を設け、結線部材を前記挿通孔を通して電装部下部から電子機器本体へと配置することを特徴とする。
【００１５】
請求項８の発明は、請求項１ないし７いずれかの電装部の取付構造において、記結線案内部に案内される方向と前記電装部の挿通孔への案内方向とは交差するように配置されるよう案内するものとし、該結線案内部を前記電装部の下部外壁面に設けることを特徴とする。
【００１６】
請求項９の発明は、請求項１ないし８のいずれかの電装部の取付構造において、記電装部の上部外壁面に、前記電子機器本体と電気的に接続する結線部材の接続部を設けたことを特徴とする。
【００１７】
請求項１０の発明は、請求項１ないし９のいずれかの電装部の取付構造において、記電装部は、前記上部外壁と、前記下部外壁と、前記上部外壁と下部外壁とをつなぐ壁面とで構成され、前記壁面の保持部側には、保持部から離間する側よりくぼんだ切欠部を形成したことを特徴とする。
【００１８】
請求項１１の発明は、請求項１ないし９いずれかの電装部の取付構造において、記保持部は前記電子機器本体と電装部とを開閉可能に保持するヒンジ部材を備えることを特徴とする。
【００１９】
請求項１２の発明は、請求項１ないし１１のいずれかの電装部の取付構造において、前記ヒンジ部材は垂直方向を回転支点として配置され、前記電装部の縦縁を中心として回動可能に配置することを特徴とするである。
【００２０】
請求項１３の発明は、請求項１ないし１２のいずれかの電装部の取付構造を備えたことを特徴とする電子機器である。
【００２１】
請求項１４の発明は、請求項１ないし１２のいずれかの電装部の取付構造を備えたことを特徴とする画像形成装置である。
【発明の効果】
【００２２】
本発明によれば、電装部と電子機器本体との間の結線部材の長さをできるだけ短くできノイズの影響を受けにくくできると共に、電装部の位置変更に際して結線部材が邪魔にならず且つ結線部材を傷つけることなく電装部を大きく開くことができる。
【発明を実施するための最良の形態】
【００２３】
以下本発明を実施するための最良の形態としての実施例を図面に基づいて説明する。
【実施例】
【００２４】
以下本発明に係る画像形成装置を図面に基づいて説明する。図１は本発明の実施例に係る画像形装置の断面図、図２は実施例に係る画像形成装置の一部切断斜視図、図３は図２に示した画像形成装置の要部拡大斜視図、図４は図２に示した画像形成装置の要部拡大斜視図、図５は図２に示した画像形成装置の電装装置閉状態における要部拡大平面図、図６は図２に示した画像形成装置の電装装置開状態における要部拡大平面図、図７は図２に示した画像形成装置の電送装置閉状態における上面の拡大平面図、図８は図２に示した画像形成装置の電送装置開状態における上面の拡大平面図である。
【００２５】
本例に係る画像形成装置１００は、図1に示すように、画像形成部（プリンタ部）１０１と、その上方に配置されたスキャナ手段１０２と、前記画像形成部１０１の下方に配置された給紙装置１０３とを備える。
【００２６】
前記スキャナ手段１０２は、操作部での読み取り指示により、コンタクトガラス上に載置された原稿（または自動原稿搬送装置にセットされた原稿で読み取り位置へ搬送された原稿）を走査部が読み取り、読み取った画像データを直接画像形成部１０１に送信する。
【００２７】
また、読み取り指示されると、画像形成部１０１での画像形成動作タイミングにあわせて給紙装置１０３から転写紙が１枚ずつ分離され送り出され、用紙搬送路に配された搬送ローラによって画像形成部１０１へ送られるようになっている。
【００２８】
画像形成部１０１は、感光体部、書き込み部、現像部、中間転写部、紙転写部、定着部からなっている。感光体部には、表面に有機感光層を形成した感光体ベルト１０が設けられている。感光体ベルト１０の周りには、帯電器１１、複数の現像ユニット１２、感光体クリーニング装置１３が配置されており、帯電器１１に高電圧を印可することで矢印方向に回転する感光体ベルト１０を一様に帯電させるようになっている。
【００２９】
カラー画像情報、例えばスキャナ手段で読み取った画像情報、あるいはコンピュータからのカラー画像信号を光信号に変換し、レーザーにてブラック（Ｂｋ）、シアン（Ｃ）、マゼンタ（Ｍ）、イエロー（Ｙ）の画像信号に対応した光書き込みを書込ユニット１４を介して、一様帯電させられた感光体ベルト１０上に行って静電潜像を形成する。この静電潜像は、各色（Ｂｋ、Ｃ、Ｍ、Ｙ）毎に各現像ユニット１２によって、上記静電潜像と逆の電荷にて帯電したトナーを静電吸着させることで可視像化（現像）させられる。
【００３０】
感光体ベルト１０の図中右側には中間転写ベルト１５があり、中間転写ベルト１５と感光体ベルト１０の接触部において、中間転写ベルト１５にトナーと逆の電荷を印可することで中間転写ベルト１５上に上記トナー像を転写する。この動作を４回行うことにより、中間転写ベルト１５上に４色の重ね画像が形成され、この重ね画像を搬送ローラ１６によって下方給紙装置１０３から送られてきた転写紙に、トナーと逆の電荷を印可する紙転写ローラ１８によって転写する。画像を転写された転写紙は不図示の定着器へ搬送され、トナー像を溶融定着させる。定着器を出た転写紙は、片面プリントの場合には、そのまま排紙部１０４へ排出され、両面プリントの場合には、不図示の反転搬送路を通って画像面を反転させられて、裏面に画像を転写定着された後、排紙部１０４へ排出される。
【００３１】
一方、複数（図では４つ）の現像ユニット１２はそれぞれ、画像形成部本体５０に対して独立に着脱自在となっている。各現像ユニットは収納するトナーを除けば共通するので、以下では代表として最上段にあるブラックトナー用現像ユニット１２について説明する。この現像ユニット１２は、現像ローラ２０、トナー供給ローラ２１、トナー層規制部材であるドクターローラ２２、第１搬送パドル２３、第２搬送パドル２４、第３搬送パドル２５を備えている。
【００３２】
この現像ユニット１２には、第１搬送パドル２３から第３搬送パドル２５にかけてトナーが充填されていて、各搬送パドルが回転することによりトナーを前方、すなわち現像ローラ２０側へ送り出すようになっている。各搬送パドルはポリプロピレンのような柔らかい材質のもので形成され、その弾性を利用して現像ユニット１２の内壁を摺擦しながら確実にトナーを前方へ搬送するようになっている。搬送されたトナーは、発泡ポリウレタン製供給ローラ２１から現像ローラ２０へ供給される。現像ローラ２０に供給されたトナーは、ドクターローラ２２で帯電、薄層化され、感光体ベルト１０上に形成された静電潜像を現像し、可視化する。
【００３３】
現像ユニット１２は感光体ベルト１０に対して接離可能で、通常は感光体ベルト１０に接触し、不図示の離間スプリングによって離間動作を行うようになっており、感光体ベルト１０に対して選択的に接触させられ得る。接離動作を行うための機構は、現像ユニット１２の摺動部１２ａと画像形成部本体５０側に取り付けられたガイドレール５４とからなっている。
【００３４】
このような画像形成装置１００において、画像形成装置１００の背面には、図２に示すように電装部２００が配置されている。電装部２００は、装置手前から奥側に向けて２層構造となっている。即ち、装置手前側層は、画像形成装置１００の後板に取り付けられて構成され、給紙、排紙、感光体、現像ユニット等を駆動する駆動ユニット２１１、駆動ユニット２１１を含む画像形成装置１００の所定部品に電源を供給する電源供給ユニット２１２、Ｉ／Ｏボード２１３などを備える
【００３５】
一方、装置奥側層は、前記装置手前側層とは別の基盤に取り付けられユニットケース２２３にユニット化され配置されている。この装置奥側層には、前記スキャナ手段１０２や駆動ユニット２１１等を制御するコントローラ２２１、書込読取コントロールユニット２２２が設けられる。このユニットケース２２３は、板金で形成され、ヒンジ部材をなす支点２３１，２３２を支点として装置本体に対して垂直方向を軸として扉状に回動可能に軸支されている。
【００３６】
また、画像形成装置１００本体、装置手前側層と、装置奥側層との間には、結線部材として、書込読取コントロールユニット２２２と画像形成部１０１とを接続する書込ハーネス２４１、スキャナ手段１０２と電装部２００とを接続するスキャナハーネス２４２，Ｉ／Ｏボード２１３とコントローラ２２１とをつなぐドロアハーネス２４３、コントローラ２２１と装置手前側の書込読取コントロールユニット２２２を接続するコントロールハーネス２４４が設けられている。ここで、各ハーネスは複数の信号線をまとめたものであり、必要に応じて束ねられたり、平板状に形成されたりしている。
【００３７】
ユニットケース２２３は、板金製の箱型形状部材であり、上下壁部２２４，２２５には支点２３１，２３２が形成されている他、図８に示すように、装置手前側に凹む切欠部２２６が形成されている。これにより、ユニットケース２２３を画像形成装置１００に対し開いても外装２６０が切欠部２２６に入り込み、衝突しないようになっている。このようにして、電装部２００を画像形成装置１００から大きく開き、メンテナンス性を向上ことができるほか、装置の小型化に寄与できるものとしている。なお、図中２６１は外装パネルを示している。
【００３８】
また、ユニットケース２２３の下壁部２２５には、コントローラ２２１から装置手前側の電装部に取り付けられるコントロールハーネス２４４を挿通案内する挿通孔２５０が設けられている。
【００３９】
本例ではユニットケース２２３の外壁と保持部である支点２３１，２３２を形成する部分との間には空間部が形成され、結線案内部である案内保持部３００、ハーネスクランプ３２０、３２１，３２２が配置されている。本例では、ハーネスクランプ３２０、３２１，３２２は結束部をなしている。
【００４０】
即ち、上記下側の支点２３１は、案内保持部３００に取り付けられ、案内保持部３００はブラケットを介して装置本体に取り付けられている。
【００４１】
ここで案内保持部３００の縦壁は、ユニットケース２２３の挿通孔２５０から案内されたハーネスを装置手前側に案内する案内面３００ａと、ユニットケース２２３を画像形成装置１００に対し開いたときにハーネスを装置外側に案内する案内面３００ｂを有し、案内面３００ａにはコントロールハーネス２４４を束ねて上下左右方向の所定のばたつきを防止するナイロン樹脂製のハーネスクランプ３２０，３２１が取り付けられている。なお、案内面３００ｂは湾曲形成され、湾曲部３００ａと滑らかな接合面をなしている。このため、コントロールハーネス２４４が案内保持部３００に接触しても、コントロールハーネス２４４に損傷を与えることがない。
【００４２】
さらに、装置手前側面には、弾性的に変形可能なナイロン樹脂製のハーネスクランプ３２２が取り付けられている。このハーネスクランプ３２２は、図３、図４に示すようにユニットケース２２３の開閉に伴うコントロールハーネス２４４の移動に従って図４中矢印Ａ方向に変形し、コントロールハーネス２４４を案内する。なお符号３２３，３２４，３２５はコントロールハーネス２４４を束ねる他のハーネスクランプを示す。
【００４３】
このような構成により、ユニットケース２２３が画像形成装置１００に対し閉じた状態のとき、コントロールハーネス２４４は、挿通孔２５０、案内保持部３００の案内面、ハーネスクランプ３２０、３２１、ハーネスクランプ３２２によりユニットケース２２３から装置手前側の電装部２００へ案内される。
【００４４】
一方、ユニットケース２２３を画像形成装置１００に対し開状態とする場合、コントロールハーネス２４４は案内保持部３００の案内面３００ａ、ハーネスクランプ３２０、３２１に案内される。また、ハーネスクランプ３２１は弾性的に変形し、コントロールハーネス２４４はハーネスクランプ３２１は復元力により所定の力で引っ張られた状態で保持される。このため、コントロールハーネス２４４は常に伸張状態に保持されユニットケース２２３の開動作の邪魔にならない。
【００４５】
ユニットケース２２３を開いた状態から画像形成装置１００に対し閉じるとコントロールハーネス２４４は案内保持部３００の案内面３００ａ、３００ｂ、ハーネスクランプ３２０、３２１に案内されつつ、ハーネスクランプ３２１の通常の形状に戻ろうとする復元力により、装置手前側に引き寄せられながらユニットケース２２３が閉じられる。
【００４６】
このため、簡易な構成により、ユニットケース２２３の開閉動作によるコントロールハーネス２４４の挟み込みを防止でき、ユニットケース２２３の円滑な開閉動作やそれに伴うコントロールハーネス２４４の断線を防止できる。
【００４７】
また、本例では、図７に示すように、ユニットケース２２３の上壁部には、Ｉ／Ｏボード２１３とコントローラ２２１とをつなぐドロアハーネス２４３のドロアコネクタ４００が着脱自在に取り付けられている。
【００４８】
この例では、図８に示すように、ドロアコネクタ４００は容易にユニットケース２２３から取り外すことができるものとしている。従って本例では、ユニットケース２２３を取り外すことなくドロアハーネス２４３を着脱自在とすることができメンテナンス性を向上させることができる。
【００４９】
なお、本例では電子機器として画像形成装置を例として説明したが、電子機器本体に位置関係を変更可能に設けられた電子機器であれば、ＯＡ機器等他の電子機器に適用することができる。
【００５０】
また、上記例では、電装部をヒンジ部で垂直軸を回転軸として扉状に開閉するものを例として説明したが、開閉方向を水平としたもの、あるいは摺動するものなど他の位置の変更形態に適用できる。
【図面の簡単な説明】
【００５１】
【図１】本発明の実施例に係る画像形装置の断面図である。
【図２】実施例に係る画像形成装置の一部切断斜視図である
【図３】図２に示した画像形成装置の要部拡大斜視図である。
【図４】図２に示した画像形成装置の要部拡大斜視図である。
【図５】図２に示した画像形成装置の電装装置閉状態における要部拡大平面図である。
【図６】図２に示した画像形成装置の電装装置開状態における要部拡大平面図である。
【図７】図２に示した画像形成装置の電送装置閉状態における上面の拡大平面図である。
【図８】図２に示した画像形成装置の電送装置開状態における上面の拡大平面図である。
【符号の説明】
【００５２】
１０・・・感光体ベルト
１１・・・帯電器
１２・・・現像ユニット
１２ａ・・・摺動部
１３・・・感光体クリーニング装置
１４・・・書込ユニット
１５・・・中間転写ベルト
１６・・・搬送ローラ
１８・・・紙転写ローラ
２０・・・現像ローラ
２１・・・トナー供給ローラ
２２・・・ドクターローラ
２３・・・第１搬送パドル
２４・・・第２搬送パドル
２５・・・第３搬送パドル
５０・・・画像形成部本体
５４・・・ガイドレール
１００・・・画像形成装置
１０１・・・画像形成部（プリンタ部）
１０２・・・スキャナ手段
１０３・・・給紙装置
１０４・・・排紙部
２００・・・電装部
２１１・・・駆動ユニット
２１２・・・電源供給ユニット
２１３・・・Ｉ／Ｏボード
２２１・・・コントローラ
２２２・・・書込読取コントロールユニット
２２３・・・ユニットケース
２２４，２２５・・・上下壁部
２２５・・・下壁部
２２６・・・切欠部
２３１，２３２・・・支点
２４１・・・書込ハーネス
２４２・・・スキャナハーネス
２４３・・・ドロアハーネス
２４４・・・コントロールハーネス
２５０・・・挿通孔
２６０・・・外装
３００・・・案内保持部
３００ａ・・・案内面
３００ｂ・・・案内面
３２０・・・ハーネスクランプ
３２１・・・ハーネスクランプ
３２２・・・ハーネスクランプ
４００・・・ドロアコネクタ
【図１】
2006309058.tif 000003
【図２】
2006309058.tif 000004
【図３】
2006309058.tif 000005
【図４】
2006309058.tif 000006
【図５】
2006309058.tif 000007
【図６】
2006309058.tif 000008
【図７】
2006309058.tif 000009
【図８】
2006309058.tif 000010